(57)【特許請求の範囲】
【請求項１】
筐体本体と、前記筐体本体の前側に配置されて前記筐体本体に対して開閉可能な前扉と、を有する筐体を備え、
前記前扉は、互いに独立して開閉可能である下部前扉と上部前扉とを有し、
前記上部前扉は前記下部前扉の上側に配置されており、
前記筐体本体に対して、前記上部前扉は前記下部前扉よりも大きく開くことがなく、
平坦な床面に載置された状態において、
前記筐体本体に対して前記上部前扉が閉じている場合は、前記筐体本体の底面が前記床面に接した安定姿勢状態であり、
前記筐体本体に対して前記上部前扉及び前記下部前扉が開いている場合は、前記筐体本体の底面の一部が前記床面から離れている傾斜姿勢状態であり、
前記安定姿勢状態は、前記筐体本体に対して、前記下部前扉の開放状態に関わらず、前記上部前扉を閉じた状態であれば維持される、ことを特徴とする遊技機。
【請求項２】
前記筐体本体に対して前記上部前扉が特定角度以下で開いている場合は、前記筐体本体の底面の一部が前記床面から離れ、かつ、前記下部前扉は前記床面から離れている第１傾斜姿勢状態が維持される、ことを特徴とする請求項１に記載の遊技機。
【請求項３】
前記筐体本体に対して前記上部前扉が前記特定角度よりも大きく開いている場合は、前記筐体本体の底面の一部が前記床面から離れ、かつ、前記下部前扉の少なくとも一部が前記床面に接する第２傾斜姿勢状態である、ことを特徴とする請求項２に記載の遊技機。
【請求項４】
前記下部前扉は、筐体から排出されるメダルを受ける受け皿部を有し、
前記第２傾斜姿勢状態において、前記床面に接する前記下部前扉の一部は、前記受け皿部である、ことを特徴とする請求項３に記載の遊技機。
【請求項５】
前記第２傾斜姿勢状態において前記床面に接するのは、前記受け皿部における前記下部前扉の回転軸側の部分である、ことを特徴とする請求項４に記載の遊技機。
【請求項６】
筐体本体と、前記筐体本体の前側に配置されて前記筐体本体に対して開閉可能な前扉と、を有する筐体を備え、
前記前扉は、互いに独立して開閉可能である第１前扉と第２前扉とを有し、
前記第２前扉の重心は、前記第１前扉の重心より上側であり、
前記筐体本体に対して、前記第２前扉は前記第１前扉よりも大きく開くことがなく、
平坦な床面に載置された状態において、
前記筐体本体に対して前記第２前扉が閉じている場合は、前記筐体本体の底面が前記床面に接した安定姿勢状態であり、
前記筐体本体に対して前記第２前扉及び前記第１前扉が開いている場合は、前記筐体本体の底面の一部が前記床面から離れている傾斜姿勢状態であり、
前記安定姿勢状態は、前記筐体本体に対して、前記第１前扉の開放状態に関わらず、前記第２前扉を閉じた状態であれば維持される、ことを特徴とする遊技機。
【請求項７】
前記筐体本体に対して前記第２前扉が特定角度以下で開いている場合は、前記筐体本体の底面の一部が前記床面から離れ、かつ、前記第１前扉は前記床面から離れている第１傾斜姿勢状態が維持される、ことを特徴とする請求項６に記載の遊技機。
【請求項８】
前記筐体本体に対して前記第２前扉が前記特定角度よりも大きく開いている場合は、前記筐体本体の底面の一部が前記床面から離れ、かつ、前記第１前扉の少なくとも一部が前記床面に接する第２傾斜姿勢状態である、ことを特徴とする請求項７に記載の遊技機。
【請求項９】
前記筐体本体内に設置され、前記筐体本体から取り外し可能なホッパー装置を備え、
前記平坦な床面に載置された状態において、前記ホッパー装置は前記筐体本体から取りはずされている、ことを特徴とする請求項１から請求項８のいずれかに記載の遊技機。
【発明の詳細な説明】
【技術分野】
【０００１】
本発明は、筐体本体に対して前扉を開閉可能な遊技機に関する。
【背景技術】
【０００２】
スロットマシンのような遊技機を新規に遊技ホール等の遊技店に設置する作業を行う場合や、遊技店内において遊技機の設置場所を変更する場合に、遊技機の本来の設置場所（遊技者が遊技を行う際の設置場所）ではなく、遊技店内の平坦な床面に一時的に遊技機が載置されることがある。このように、遊技機が床面に設置されている際に、遊技機の筐体内部の点検作業や清掃作業が行われる。ここで、点検作業とは、例えば、不正器具の有無の確認作業、コネクタの接続状態の確認作業、ハーネスの断線がないかの確認作業及び基板ケースの取付け状態の確認作業等である。この点検作業や清掃作業時に、作業者は、電動ドライバ等のような使用した工具や、携帯電話等の所持物を遊技機の筐体内に置き忘れることがある。特に、置き忘れた工具等が、筐体本体内に設置された部品等の後側等にある場合は、作業者からは死角となり、筐体本体の開口側から作業者が目視しただけでは、置き忘れに気づくことが困難である。
【０００３】
例えば、特許文献１に開示された遊技機では、ホッパー装置が収納箱（筐体本体に相当）に対して着脱自在に設けられ、通常ホッパー装置は収納箱に収納された収納位置にセットされ、メダルタンクに貯留されたメダルを回収する際やメダルタンクに新たなメダルを投入する際や修理などのメンテナンス時には、ホッパー装置は収納箱の前方へ引き出された引き出し位置へと移動可能である。このような遊技機では、ホッパー装置を収納箱の前方に移動することができるため、ホッパー装置の後方を確認しやすいことから、工具等の置き忘れを防止できる可能性はある。
【先行技術文献】
【特許文献】
【０００４】
【特許文献１】特開２００９−１３１３０２号公報
【発明の概要】
【発明が解決しようとする課題】
【０００５】
しかし、特許文献１に記載された遊技機において、ホッパー装置の後方を確認するためには、まずホッパー装置を収納箱の前方に移動するといった動作が必要である。工具等を置き忘れていることに気づいている作業者であれば、ホッパー装置を収納箱の前方に移動して筐体内を探そうとするが、工具等を置き忘れたことに気づいていない作業者は、ホッパー装置を収納箱の前方に移動して筐体内を探すことはない。したがって、作業者が工具等を置き忘れていることに気づいていない限り、工具等の置き忘れを防止することは困難であるとの問題がある。また、収納箱内には、ホッパー装置以外の部品も設置されており、こられの部品は容易に移動させることができない。そのため、収納箱を前方から目視しただけでは、これらの移動困難である部品により、置き忘れた工具等に気づきにくい場合もある。
【０００６】
本発明は、このような問題に鑑みてなされたものであり、その目的は、作業者が筐体内に工具等を置き忘れている場合に、置き忘れに容易に気づくことができ、置き忘れを抑制できる遊技機を提供することである。
【課題を解決するための手段】
【０００７】
本発明の一態様に係る遊技機は、
筐体本体と、前記筐体本体の前側に配置されて前記筐体本体に対して開閉可能な前扉と、を有する筐体を備え、
前記前扉は、互いに独立して開閉可能である下部前扉と上部前扉とを有し、
前記上部前扉は前記下部前扉の上側に配置されており、
前記筐体本体に対して、前記上部前扉は前記下部前扉よりも大きく開くことがなく、
平坦な床面に載置された状態において、
前記筐体本体に対して前記上部前扉が閉じている場合は、前記筐体本体の底面が前記床面に接した安定姿勢状態であり、
前記筐体本体に対して前記上部前扉及び前記下部前扉が開いている場合は、前記筐体本体の底面の一部が前記床面から離れている傾斜姿勢状態である、ことを特徴とする。
【０００８】
上記発明によれば、平坦な床面に載置された状態において、筐体本体に対して上部前扉が閉じている場合は、筐体本体の底面が床面に接した安定姿勢状態であり、筐体本体に対して上部前扉及び下部前扉が開いている場合は、筐体本体の底面の一部が床面から離れている傾斜姿勢状態となる。ここで、仮に筐体本体内に、本来は筐体本体内には設置されていない物が存在した場合は、筐体本体の重量が本来の重さよりも重くなるため、筐体本体内には存在する物の重さにもよるが、筐体本体に対して上部前扉及び下部前扉が開いている場合であっても、傾斜姿勢状態とはならず、筐体本体の底面が床面に接した安定姿勢状態となる場合がある。例えば、筐体本体内に対して点検作業や清掃作業を行った作業者が作業に用いた工具等を筐体本体内に置き忘れていたり、携帯電話等のような作業者の所有物を筐体本体内に置き忘れたりすることがある。このようなときに、置き忘れている物の重さにもよるが、上部前扉及び下部前扉が開いている場合に、安定姿勢状態となる場合がある。これにより、作業者は、本来は筐体本体内に設置されていない物が筐体本体内に存在していることに容易に気づくことになる。つまり、筺体本体内の目視だけでは、気づき難いことを気づくことができる。そこで、作業者は筐体本体内を慎重に点検することとなり、置き忘れていた物を認識することができる。これにより、筐体本体内に、本来は設置されていない物を置き忘れるといった不具合を抑制することができる。
【０００９】
また、不正行為者等により、不正行為を行うためのなんらかの不正部品等が筐体本体内に設置されていた場合でも、その不正部品等により筐体本体が重くなり、筐体本体に対して上部前扉及び下部前扉が開いている場合であっても、安定姿勢状態となることがある。このような場合にも、作業者は筐体本体内を慎重に点検することになり、不正部品等の発見につながる。
【００１０】
また、筐体本体に対して上部前扉が閉じている状態であれば、安定姿勢状態であることから、筐体本体は安定しており、作業者は筐体本体内に対する作業を行いやすい。
【００１１】
本発明の他の一態様に係る遊技機は、
筐体本体と、前記筐体本体の前側に配置されて前記筐体本体に対して開閉可能な前扉と、を有する筐体を備え、
前記前扉は、互いに独立して開閉可能である下部前扉と上部前扉とを有し、
前記上部前扉は前記下部前扉の上側に配置されており、
前記筐体本体に対して、前記上部前扉は前記下部前扉よりも大きく開くことがなく、
平坦な床面に載置された状態において、
前記筐体本体に対して前記上部前扉が閉じている場合、及び、前記筐体本体に対して前記上部前扉及び前記下部前扉が第１所定角度以下で開いている場合は、前記筐体本体の底面が前記床面に接した安定姿勢状態であり、
前記筐体本体に対して前記上部前扉及び前記下部前扉が前記第１所定角度よりも大きく開いている場合は、前記筐体本体の底面の一部が前記床面から離れている傾斜姿勢状態である、ことを特徴とする。
【００１２】
上記発明によれば、平坦な床面に載置された状態において、筐体本体に対して上部前扉が閉じている場合、及び、筐体本体に対して上部前扉及び下部前扉が第１所定角度以下で開いている場合は、筐体本体の底面が床面に接した安定姿勢状態であり、筐体本体に対して上部前扉及び下部前扉が第１所定角度よりも大きく開いている場合は、筐体本体の底面の一部が床面から離れている傾斜姿勢状態となる。ここで、仮に筐体本体内に、本来は筐体本体内には設置されていない物が存在した場合は、筐体本体の重量が本来の重さよりも重くなるため、筐体本体内には存在する物の重さにもよるが、筐体本体に対して上部前扉及び下部前扉が第１所定角度よりも大きく開いている場合であっても、傾斜姿勢状態とはならず、筐体本体の底面が床面に接した安定姿勢状態となる場合がある。例えば、筐体本体内に対して点検作業や清掃作業を行った作業者が作業に用いた工具等を筐体本体内に置き忘れていたり、携帯電話等のような作業者の所有物を筐体本体内に置き忘れたりすることがある。このようなときに、置き忘れている物の重さにもよるが、上部前扉及び下部前扉が第１所定角度よりも大きく開いている場合に、安定姿勢状態となる場合がある。これにより、作業者は、本来は筐体本体内に設置されていない物が筐体本体内に存在していることに容易に気づくことになる。つまり、筺体本体内の目視だけでは、気づき難いことを気づくことができる。そこで、作業者は筐体本体内を慎重に点検することとなり、置き忘れていた物を認識することができる。これにより、筐体本体内に、本来は設置されていない物を置き忘れるといった不具合を抑制することができる。
【００１３】
また、不正行為者等により、不正行為を行うためのなんらかの不正部品等が筐体本体内に設置されていた場合でも、その不正部品等により筐体本体が重くなり、筐体本体に対して上部前扉及び下部前扉が第１所定角度よりも大きく開いている場合であっても、安定姿勢状態となることがある。このような場合にも、作業者は筐体本体内を慎重に点検することになり、不正部品等の発見につながる。
【００１４】
また、筐体本体に対して上部前扉が閉じている場合や、筐体本体に対して上部前扉及び下部前扉が第１所定角度以下で開いている場合は、安定姿勢状態であることから、筐体本体は安定しており、作業者は筐体本体内に対する作業を行いやすい。
【００１５】
また、上述の遊技機において、
前記筐体本体に対して前記上部前扉が特定角度以下で開いている場合は、前記筐体本体の底面の一部が前記床面から離れ、かつ、前記下部前扉は前記床面から離れている第１傾斜姿勢状態であり、
前記筐体本体に対して前記上部前扉が前記特定角度よりも大きく開いている場合は、前記筐体本体の底面の一部が前記床面から離れ、かつ、前記下部前扉の一部が前記床面に接する第２傾斜姿勢状態である、こととしてもよい。
【００１６】
このように、上部前扉が特定角度以下で開いている場合は、筐体本体の底面の一部が床面から離れ、かつ、下部前扉は床面から離れている第１傾斜姿勢状態となる。つまり、第１傾斜姿勢状態とは、筐体本体の底面において床面に接触している部分はあるが床面から浮いた部分もあり、下部前扉も床面から浮いている状態であることから、遊技機は前後に揺れることが可能であり不安定な状態である。このような不安定な状態であることから、筐体本体の重量の影響を大きく受け、仮に、本来は筐体本体に設置されていない物が設置されている場合は、筐体本体側が下がり（後側に倒れ）、筐体本体の底面が床面と接する安定姿勢状態となる。これにより、作業者は、本来は筐体本体内に設置されていない物が筐体本体内に存在していることに容易に気づくことになる。つまり、作業者は、目視による筐体本体内の確認では発見することが困難であった不具合を、容易に発見することができる。
【００１７】
また、筐体本体に対して上部前扉が特定角度よりも大きく開いている場合は、筐体本体の底面の一部が床面から離れ、かつ、下部前扉の少なくとも一部が床面に接する第２傾斜姿勢状態となる。この第２傾斜姿勢状態において、遊技機は前後に揺れることなく、安定した状態である。したがって、第２傾斜姿勢状態において、作業者は筐体本体内に対する作業を行いやすい。
【００１８】
また、上述の遊技機において、
前記筐体本体に対して前記上部前扉が、前記第１所定角度よりも大きい角度であって第２所定角度以下で開いている場合は、前記筐体本体の底面の一部が前記床面から離れ、かつ、前記下部前扉は前記床面から離れている第１傾斜姿勢状態であり、
前記筐体本体に対して前記上部前扉が前記第２所定角度よりも大きく開いている場合は、前記筐体本体の底面の少なくとも一部が前記床面から離れ、かつ、前記下部前扉の一部が前記床面に接する第２傾斜姿勢状態である、こととしてもよい。
【００１９】
このように、上部前扉が、第１所定角度よりも大きい角度であって第２所定角度以下で開いている場合は、筐体本体の底面の一部が床面から離れ、かつ、下部前扉は床面から離れている第１傾斜姿勢状態となる。つまり、第１傾斜姿勢状態とは、筐体本体の底面において床面に接触している部分はあるが床面から浮いた部分もあり、下部前扉も床面から浮いている状態であることから、遊技機は前後に揺れることが可能であり不安定な状態である。このような不安定な状態であることから、筐体本体の重量の影響を大きく受け、仮に、本来は筐体本体に設置されていない物が設置されている場合は、筐体本体側が下がり（後側に倒れ）、筐体本体の底面が床面と接する安定姿勢状態となる。これにより、作業者は、本来は筐体本体内に設置されていない物が筐体本体内に存在していることに容易に気づくことになる。つまり、作業者は、目視による筐体本体内の確認では発見することが困難であった不具合を、容易に発見することができる。
【００２０】
また、筐体本体に対して上部前扉が第２所定角度よりも大きく開いている場合は、筐体本体の底面の一部が床面から離れ、かつ、下部前扉の一部が床面に接する第２傾斜姿勢状態となる。この第２傾斜姿勢状態において、遊技機は前後に揺れることなく、安定した状態である。したがって、第２傾斜姿勢状態において、作業者は筐体本体内に対する作業を行いやすい。
【００２１】
また、上述の遊技機において、
前記下部前扉は、筐体から排出されるメダルを受ける受け皿部を有し、
前記第２傾斜姿勢において、前記床面に接する前記下部前扉の一部は、前記受け皿部である、こととしてもよい。
【００２２】
このように、第２傾斜姿勢において、受け皿部が床面に接することから、床面と接触することで受け皿部に傷ができる可能性があるが、受け皿部の傷は目立ちにくいことから、遊技者が傷に気づきにくく好ましい。
【００２３】
また、上述の遊技機において、
前記第２傾斜姿勢において前記床面に接するのは、前記受け皿部における前記下部前扉の回転軸側の部分である、こととしてもよい。
【００２４】
これにより、第２傾斜姿勢において、床面に接するのは、受け皿部の下部前扉の回転軸側の部分である。この部分は、受け皿部においても、特に目立ちにくい部分であり、この部分に傷が生じていても、遊技者は気づきにくいことから好ましい。
【００２５】
本発明のさらに他の一態様に係る遊技機は、
筐体本体と、前記筐体本体の前側に配置されて前記筐体本体に対して開閉可能な前扉と、を有する筐体を備え、
前記前扉は、互いに独立して開閉可能である第１前扉と第２前扉とを有し、
前記第２前扉の重心は、前記第１前扉の重心より上側であり、
前記筐体本体に対して、前記第２前扉は前記第１前扉よりも大きく開くことがなく、
平坦な床面に載置された状態において、
前記筐体本体に対して前記第２前扉が閉じている場合は、前記筐体本体の底面が前記床面に接した安定姿勢状態であり、
前記筐体本体に対して前記第２前扉及び前記第１前扉が開いている場合は、前記筐体本体の底面の一部が前記床面から離れている傾斜姿勢状態である、ことを特徴とする。
【００２６】
上記発明によれば、平坦な床面に載置された状態において、筐体本体に対して第２前扉が閉じている場合は、筐体本体の底面が床面に接した安定姿勢状態であり、筐体本体に対して第２前扉及び第１前扉が開いている場合は、筐体本体の底面の一部が床面から離れている傾斜姿勢状態となる。ここで、仮に筐体本体内に、本来は筐体本体内には設置されていない物が存在した場合は、筐体本体の重量が本来の重さよりも重くなるため、筐体本体内には存在する物の重さにもよるが、筐体本体に対して第２前扉及び第１前扉が開いている場合であっても、傾斜姿勢状態とはならず、筐体本体の底面が床面に接した安定姿勢状態となる場合がある。例えば、筐体本体内に対して点検作業や清掃作業を行った作業者が作業に用いた工具等を筐体本体内に置き忘れていたり、携帯電話等のような作業者の所有物を筐体本体内に置き忘れたりすることがある。このようなときに、置き忘れている物の重さにもよるが、第２前扉及び第１前扉が開いている場合に、安定姿勢状態となる場合がある。これにより、作業者は、本来は筐体本体内に設置されていない物が筐体本体内に存在していることに容易に気づくことになる。つまり、筺体本体内の目視だけでは、気づき難いことを気づくことができる。そこで、作業者は筐体本体内を慎重に点検することとなり、置き忘れていた物を認識することができる。これにより、筐体本体内に、本来は設置されていない物を置き忘れるといった不具合を抑制することができる。
【００２７】
また、不正行為者等により、不正行為を行うためのなんらかの不正部品等が筐体本体内に設置されていた場合でも、その不正部品等により筐体本体が重くなり、筐体本体に対して第２前扉及び第１前扉が開いている場合であっても、安定姿勢状態となることがある。このような場合にも、作業者は筐体本体内を慎重に点検することになり、不正部品等の発見につながる。
【００２８】
また、筐体本体に対して第２前扉が閉じている状態であれば、安定姿勢状態であることから、筐体本体は安定しており、作業者は筐体本体内に対する作業を行いやすい。
【００２９】
本発明のさらに別の他の一態様に係る遊技機は、
筐体本体と、前記筐体本体の前側に配置されて前記筐体本体に対して開閉可能な前扉と、を有する筐体を備え、
前記前扉は、互いに独立して開閉可能である第１前扉と第２前扉とを有し、
前記第２前扉の重心は前記第１前扉の重心より上側であり、
前記筐体本体に対して、前記第２前扉は前記第１前扉よりも大きく開くことがなく、
平坦な床面に載置された状態において、
前記筐体本体に対して前記第２前扉が閉じている場合、及び、前記筐体本体に対して前記第２前扉及び前記第１前扉が第１所定角度以下で開いている場合は、前記筐体本体の底面が前記床面に接した安定姿勢状態であり、
前記筐体本体に対して前記第２前扉及び前記第１前扉が前記第１所定角度よりも大きく開いている場合は、前記筐体本体の底面の一部が前記床面から離れている傾斜姿勢状態である、ことを特徴とする。
【００３０】
上記発明によれば、平坦な床面に載置された状態において、筐体本体に対して第２前扉が閉じている場合、及び、筐体本体に対して第２前扉及び第１前扉が第１所定角度以下で開いている場合は、筐体本体の底面が床面に接した安定姿勢状態であり、筐体本体に対して第２前扉及び第１前扉が第１所定角度よりも大きく開いている場合は、筐体本体の底面の一部が床面から離れている傾斜姿勢状態となる。ここで、仮に筐体本体内に、本来は筐体本体内には設置されていない物が存在した場合は、筐体本体の重量が本来の重さよりも重くなるため、筐体本体内には存在する物の重さにもよるが、筐体本体に対して第２前扉及び第１前扉が第１所定角度よりも大きく開いている場合であっても、傾斜姿勢状態とはならず、筐体本体の底面が床面に接した安定姿勢状態となる場合がある。例えば、筐体本体内に対して点検作業や清掃作業を行った作業者が作業に用いた工具等を筐体本体内に置き忘れていたり、携帯電話等のような作業者の所有物を筐体本体内に置き忘れたりすることがある。このようなときに、置き忘れている物の重さにもよるが、第２前扉及び第１前扉が第１所定角度よりも大きく開いている場合に、安定姿勢状態となる場合がある。これにより、作業者は、本来は筐体本体内に設置されていない物が筐体本体内に存在していることに容易に気づくことになる。つまり、筺体本体内の目視だけでは、気づき難いことを気づくことができる。そこで、作業者は筐体本体内を慎重に点検することとなり、置き忘れていた物を認識することができる。これにより、筐体本体内に、本来は設置されていない物を置き忘れるといった不具合を抑制することができる。
【００３１】
また、不正行為者等により、不正行為を行うためのなんらかの不正部品等が筐体本体内に設置されていた場合でも、その不正部品等により筐体本体が重くなり、筐体本体に対して第２前扉及び第１前扉が第１所定角度よりも大きく開いている場合であっても、安定姿勢状態となることがある。このような場合にも、作業者は筐体本体内を慎重に点検することになり、不正部品等の発見につながる。
【００３２】
また、筐体本体に対して第２前扉が閉じている場合や、筐体本体に対して第２前扉及び第１前扉が第１所定角度以下で開いている場合は、安定姿勢状態であることから、筐体本体は安定しており、作業者は筐体本体内に対する作業を行いやすい。
【００３３】
また、上述の遊技機において、
前記筐体本体の前面側の底面付近には金属板が配置され、前記傾斜姿勢状態において、前記金属板の一部は前記床面に接している、こととしてもよい。
【００３４】
これにより、傾斜姿勢状態において、筐体本体の前面側の底面付近が床面に接触することとなるため、この部分が損傷しやすいが、筐体本体の前面側の底面付近に金属板が配置されていることから、損傷することを抑制することができる。
【００３５】
また、上述の遊技機において、
前記筐体本体内に設置され、前記筐体本体から取り外し可能なホッパー装置を備え、
前記平坦な床面に載置された状態において、前記ホッパー装置は前記筐体本体から取りはずされている、こととしてもよい。
【００３６】
このように、平坦な床面に載置された状態において、前記ホッパー装置は前記筐体本体から取りはずされている。ここで、遊技機を正規の設置箇所から移動する場合は、一般的には、ホッパー装置を筐体本体内から取りはずすこととなるが、このような場合において対応することができる。
【図面の簡単な説明】
【００３７】
【図１】本発明の実施形態に係る遊技機の外観構成を示す正面図である。
【図２】本発明の実施形態に係る遊技機の内部構成を示す上部前扉及び下部前扉が略９０度開かれた状態を示す斜視図である。
【図３】本発明の実施形態に係る遊技機において下部前扉のみが開かれた状態を示す斜視図である。
【図４】図３の状態における遊技機の姿勢状態を示す概略側面図である。
【図５】本発明の実施形態に係る遊技機において下部前扉のみが略９０度開かれ、上部前扉は、９０度よりも小さい角度開かれた状態を示す斜視図である。
【図６】図５の状態における遊技機の姿勢状態を示す概略側面図である。
【図７】図２の状態における遊技機の姿勢状態を示す概略側面図である。
【図８】遊技機が第２傾斜姿勢状態である場合のメダル受け皿周辺の構成を示す拡大概略斜視図である。
【図９】本発明の他の実施形態に係る遊技機において第１前扉が開かれた状態を示す斜視図である。
【図１０】本発明の他の実施形態に係る遊技機において第１前扉及び第２前扉が開かれた状態を示す斜視図である。
【発明を実施するための形態】
【００３８】
本発明の遊技機の実施形態について、図面を参照しながら、具体的に説明する。なお、以下の説明において、本発明の実施形態に係る遊技機として回胴式遊技機（いわゆる、スロットマシン）であるパチスロ遊技機を例に挙げて説明するが、本発明の遊技機は、このパチスロ遊技機に限定されるわけではない。これ以外のパチスロ遊技機だけでなく、例えば、パチンコ遊技機等、パチスロ遊技機以外の遊技機であってもかまわない。また、金属等で作られた実在するメダル等を遊技媒体として利用せずに、電子データのみを取り扱うことで遊技を行うことができる、いわゆるメダルレスのパチスロ遊技機であってもかまわない。
【００３９】
なお、本明細書において、方向についての定義等が示されていない場合には、遊技機１０に向かって位置する遊技者から見て左側の方向を「左」方向とし、遊技者から見て右側の方向を「右」方向とする。同様に、「上」や「下」等の上下方向も、遊技者から見た場合の上方向や下方向を意味する。また、遊技機１０の正面から遊技者に向かう方向を「前」方向とし、その逆方向を「後」方向とする。また、遊技機１０における各部材の説明についても、方向についての定義等が示されていない場合には、各部材が遊技機１０の所定位置に配置されている状態において遊技者から見た方向としている。
【００４０】
（遊技機１０の外観構成）
本実施形態１に係る遊技機の外観構成について図面を用いて説明する。図１は、本発明の実施形態に係る遊技機の外観構成を示す正面図である。
【００４１】
図１に示すように、遊技機１０は、その前面側に、メダルを投入するためのメダル投入口１１と、メダルを払い出すためのメダル払出口１２と、メダル払出口１２から払い出されたメダルを貯留するメダル受け皿（受け皿部）５と、外周面に図柄８が描かれていてこれら図柄８を変動表示する３つのリール１４ａ、１４ｂ、１４ｃと、映像演出を行うための液晶ディスプレイ１６と、照明演出を行うための上部ランプ１、上サイドランプ２ａ、中サイドランプ２ｂ及び下サイドランプ２ｃと、音声演出を行うためのスピ−カー１７と、を備えている。なお、３つのリール１４ａ、１４ｂ、１４ｃの外周面に形成された図柄８は、遊技機１０の前扉１０ｂ（図２を参照）に形成されたリール窓１０ｅによって遊技者から視認可能である。また、上サイドランプ２ａ、中サイドランプ２ｂ、下サイドランプ２ｃ及びスピ−カー１７は、それぞれ左右に１つずつ配置されている。また、左右の下サイドランプ２ｃに挟まれるように、下パネル４が配置されている。
【００４２】
また、遊技機１０は、操作部として、１遊技当たりの最大枚数（通常３枚）のメダルをベットするためのマックスベットボタン１８と、ベットするメダルを１枚ずつ増加するためのシングルベットボタン１９と、リール１４ａ、１４ｂ、１４ｃの回転を開始するためのスタートレバー２０と、リール１４ａ、１４ｂ、１４ｃの回転をそれぞれ停止するための３つのストップボタン２２ａ、２２ｂ、２２ｃと、遊技中の所定の演出を切り替える等の遊技者が操作をするための演出用ボタン７と、クレジットされたメダルをメダル受け皿５へ払い戻すための精算ボタン２５と、メダルの貯留枚数を表示するクレジット枚数表示器２６と、入賞成立時等において遊技機１０から払い出されたメダルの払出枚数を表示する払出枚数表示器２７と、「有利区間」及び「非有利区間」への移行を報知する区間報知ランプ３７と、を備える。なお、演出用ボタン７にはランプも内蔵されており、点灯及び消灯により、遊技者に所定の報知を行うことができる。また、クレジット枚数表示器２６及び払出枚数表示器２７は、それぞれ７セグメントの小型のＬＥＤ（発光ダイオード）により構成されており、２桁の数字を表示可能である。
【００４３】
ここで、「有利区間」とはストップボタン２２ａ、２２ｂ、２２ｃの操作態様を報知可能な遊技状態であり、「非有利区間」とはストップボタン２２ａ、２２ｂ、２２ｃの操作態様を報知不可能な遊技状態である。なお、ストップボタン２２ａ、２２ｂ、２２ｃの操作態様としては、役抽選の抽選結果（具体的には当選役）に対して予め設定されている押し順（停止操作順序）であって、例えば抽選結果に対して複数の押し順が設定されている場合に、遊技者にとって最も有利となる押し順が相当する。例えば、いわゆる「順押し」の場合は１枚のメダルが払い出され、いわゆる「逆押し」の場合は１５枚のメダルが払い出される。一般的には、「非有利区間」中の遊技において、所定の移行条件が成立（例えば役抽選により特定の移行役に当選）した場合に、所定の抽選（有利区間移行抽選）に当選することで、「非有利区間」から「有利区間」へ移行可能となる。一方、「有利区間」中の遊技において、所定の終了条件が成立した場合は「有利区間」から「非有利区間」へ移行する。なお、上記所定の終了条件としては、例えば、「有利区間」中の消化ゲーム数が１５００ゲームに達すること、である。
【００４４】
第１リールであるリール１４ａ、第２リールであるリール１４ｂ及び第３リールであるリール１４ｃは、それぞれ、この順で、遊技者から見て左から右へと並んで配置されており、これらリール１４ａ、１４ｂ、１４ｃに対応してリール１４ａ、１４ｂ、１４ｃの回転を停止させるためのストップボタン２２ａ、２２ｂ、２２ｃも、遊技者から見て左から右へとこの順で並んで配置されている。
【００４５】
この遊技機１０は、ベットされたメダルの枚数が予め定められた規定枚数（例えば３枚）に達した状態でスタートレバー２０が操作されると、役抽選が実行されるとともにリール１４ａ、１４ｂ、１４ｃが一斉に回転を開始し、ストップボタン２２ａ、２２ｂ、２２ｃがそれぞれ操作されると、操作されたストップボタン２２ａ、２２ｂ、２２ｃに対応する各リール１４ａ、１４ｂ、１４ｃの回転が停止し、すべてのリール１４ａ、１４ｂ、１４ｃが停止したときにリール窓１０ｅ（図２を参照）の有効ライン上に表示される図柄８の組み合わせが役抽選で当選した役に対応したものとなっていた場合（入賞した場合）は、その役に応じた枚数のメダルが払い出される。なお、メダルのクレジット枚数が上限値（本実施形態では５０枚）に達しているときに、メダルが払い出される場合は、ホッパーユニット（ホッパー装置）３６（図２を参照）から送出されたメダルがメダル払出口１２を通じて払い出されるようになっている。また、メダル払出口１２から払い出されたメダルは、メダル受け皿５に貯留される。このように、クレジット枚数の上限値は決まっており、上限値を超えて遊技機１０内にメダルを貯留することはできない。しかし、メダル投入口１１にメダルが投入されるか、又は、入賞によってメダルが払い出された場合に、メダルのクレジット枚数が上限値に達していない場合は遊技機１０内に貯留されて、メダルのクレジット枚数が増加する。
【００４６】
ここで、リール１４ａ、１４ｂ、１４ｃの外周面には、例えば、「白セブン」、「赤セブン」、「バー１」、「バー２」、「チェリー」、「スイカ」、「リプレイ」、「ベル」、「ブランク」等の複数の図柄８が形成されている。これらの図柄８は、例えば、それぞれの絵柄がプリントされたテープをリール１４ａ、１４ｂ、１４ｃの外周面に貼付されることで形成されている。
【００４７】
次に、本実施形態に係る遊技機の内部構成について図面を用いて説明する。図２は、本発明の実施形態に係る遊技機の内部構成を示す上部前扉及び下部前扉が略９０度開かれた状態を示す斜視図である。
【００４８】
図２に示すように、遊技機１０は、遊技機筐体（筐体）１０ｄを備えている。遊技機筐体１０ｄは、前方が開放された箱状である筺体本体１０ａと、筺体本体１０ａの前面側に開閉可能な状態で取り付けられた前扉である上部前扉１０ｂ及び遊技機筐体１０ｃを有しており、これら筺体本体１０ａ、上部前扉１０ｂ及び下部前扉１０ｃが遊技機筺体１０ｄを構成する。なお、図２において、上部前扉１０ｂ及び下部前扉１０ｃの開いている角度である開放角度Ａは９０度である。
【００４９】
上部前扉１０ｂは２つのヒンジ３５ａを介して筺体本体１０ａと接続され、筺体本体１０ａに対して開閉が可能である。また、下部前扉１０ｃは２つのヒンジ３５ｂを介して筺体本体１０ａと接続され、筺体本体１０ａに対して開閉可能である。これら上部前扉１０ｂ及び下部前扉１０ｃは、筺体本体１０ａに対して互いに独立に開閉動作が可能である。ただし、上部前扉１０ｂは下部前扉１０ｃよりも大きく開くことはできない構成である。つまり、上部前扉１０ｂは、下部前扉１０ｃが筺体本体１０ａに対して開いている角度よりも大きな角度で開くことはできない構成となっている。例えば、上部前扉１０ｂを閉じた状態で下部前扉１０ｃは任意の角度で開くことができるが、下部前扉１０ｃを閉じた状態では上部前扉１０ｂはまったく開くことができない。このような構成として、例えば、上部前扉１０ｂの下部には、下部前扉１０ｃに向かって突出する突出部が設けられており、上部前扉１０ｂを下部前扉１０ｃよりも大きく開こうとすると、この突出部が、下部前扉１０ｃの上部に形成された段差部に干渉するように配置すればよい。これにより、上部前扉１０ｂを下部前扉１０ｃよりも大きく開こうとすると、前記突出部が前記段差部と干渉して、上部前扉１０ｂを下部前扉１０ｃよりも大きく開くことができない。
【００５０】
また、筺体本体１０ａは、天板、底板、左側板、右側板及び背面板を組み付けて構成される箱状である。そして、筺体本体１０ａを構成する底板は、遊技機筐体１０ｄの内側となる面（底面１０ｇ１）と、遊技機筐体１０ｄの外側となる面（底面１０ｇ２）と、を有している。ここで、前者の面（底面１０ｇ１）は、電源ユニット３３やホッパーユニット３６が設置される面に相当し、後者の面（底面１０ｇ２）は、遊技機筐体１０ｄを床面に載置した場合に床面と直接接触する面に相当する。そして、この底板には、遊技機島設備へ設置するための、木ねじ等の固定具を挿通するための下部設置孔（例えば、３穴×２列）が形成されていると共に、前記下部設置孔が隠れるように底面１０ｇ１にホッパーユニット３６が取り付けられる。なお、筺体本体１０ａを構成する天板には、前記底板と同様、遊技島設備へ設置するための、木ねじ等の固定具を挿通するための上部設置孔が形成されている。筺体本体１０ａは、本実施形態において、木製の板材（素材）を組み付けて形成されているが、これ以外に、筺体本体１０ａを金属製の素材や樹脂製の素材により構成することとしてもよい。また、筺体本体１０ａを互いに異なる素材の部材より構成することも可能であり、例えば木製部材と樹脂製部材とを組み付けて筺体本体１０ａを形成してもよい。また、例えば、金属製部材と樹脂製部材とを組み付けて筺体本体１０ａを形成してもよい。
【００５１】
この遊技機筐体１０ｄの内部には、各種の機器が収容されている。なお、機器とは、モータ等を有し電気により動作する装置だけでなく、電子素子等が搭載された基板や、単に電気接続を中継するだけの基板等も含み、電気的接続がなされているものすべてをいう。本実施形態において、遊技機筺体１０ｄの内部には、メイン制御基板ユニット３０、サブ制御基板ユニット３１、液晶ユニット３２、電源ユニット３３、ホッパーユニット３６、リールユニット４１及びコネクタユニット３４等が納められている。また、遊技機筐体１０ｄの内部には、投入されたメダルが正規のものか否かを選別するメダルセレクタ５１も設置されている。
【００５２】
筺体本体１０ａの内部において、上方にメイン制御基板ユニット３０が設置され、メイン制御基板ユニット３０の下方にリールユニット４１が設置され、さらにリールユニット４１の下方に位置し、筺体本体１０ａの底面１０ｇ１に載置されるように電源ユニット３３及びホッパーユニット３６が設置されている。
【００５３】
上部前扉１０ｂの内側において、液晶ユニット３２及びサブ制御基板ユニット３１が設置されている。また、上部前扉１０ｂにおいて、液晶ユニット３２及びサブ制御基板ユニット３１の下方には、リール１４ａ、１４ｂ、１４ｃの外周面に形成された図柄８を遊技者が視認可能とするためのリール窓１０ｅが形成されている。下部前扉１０ｃの内側において、コネクタユニット３４およびメダルセレクタ５１が設置されている。
【００５４】
メイン制御基板ユニット３０は、役抽選、入賞判定及び遊技動作等、遊技における基本的な制御を行うメイン制御基板を有する。また、リールユニット４１は、上部前扉１０ｂを閉じた状態においてリール窓１０ｅから外部に露呈する各リール１４ａ、１４ｂ、１４ｃと、図示していないが、これらを回転させるための各リール１４ａ、１４ｂ、１４ｃに対応した３つのステッピングモータと、各リール１４ａ、１４ｂ、１４ｃの回転位置を検出するためのリール位置センサと、メイン制御基板からの制御信号に基づいてリール１４ａ、１４ｂ、１４ｃの回転をそれぞれ独立して制御するリール駆動基板と、これらを保持するユニットホルダと、を備える。
【００５５】
なお、リールユニット４１は、筐体本体１０ａの内側に対して、ねじ等の所定の固定具により直接固定（ねじ止め）されることとすればよい。そして、筺体本体１０ａに固定されたリールユニット４１は、固定具を取り外す専用の道具であるドライバ等を用いることにより、筺体本体１０ａから取り外すことができることとすればよい。また、このような構成以外に、例えば、リールユニット４１が所定の取付け部材（例えばフック）を介して筐体本体１０ａに固定されることとし、この取付け部材の解除操作（例えばフックを回転させる操作）によりリールユニット４１と筐体本体１０ａとの固定状態が解除されることとしてもよい。この構成によれば、専用の道具を用いことなく、筐体本体１０ａから容易にリールユニット４１を取り外すことが可能である。
【００５６】
また、電源ユニット３３は、筺体本体１０ａ内の下部に設けられ、遊技機１０の各部材に電力を供給する。電源ユニット３３は、遊技機１０に対して電源投入操作又は電源遮断操作を行う電源スイッチと、遊技機１０における各部品に電力を供給する電子基板である電源基板と、を備えている。
【００５７】
ホッパーユニット３６は、メダル投入口１１に投入されたメダルを回収するとともに、メイン制御基板ユニット３０からの信号に基づいてメダル払出口１２へメダルを送出する制御を行う電子基板であるホッパー制御基板を備えている。
【００５８】
液晶ユニット３２は、液晶ディスプレイ１６と一体となっている。液晶ユニット３２は、サブ制御基板ユニット３１からの指示に応じて、液晶ディスプレイ１６に表示される映像による演出に関する制御を行う映像基板を備えている。サブ制御基板ユニット３１は、発光ランプや音声による演出等、遊技における演出に関する制御を行うサブ制御基板を備えている。上述したように、リール窓１０ｅから各リール１４ａ、１４ｂ、１４ｃが外部に露呈される。具体的には、リール窓１０ｅは、上部前扉１０ｂに形成された貫通孔であり、上部前扉１０ｂを閉じた際に、上部前扉１０ｂからリール１４ａ、１４ｂ、１４ｃの一部が前側に突出するように配置される。これにより、遊技者は、リール窓１０ｅからリール１４ａ、１４ｂ、１４ｃの回転動作及び停止動作を見ることとなり、図柄８を認識しながら、遊技を行う。なお、図示を省略しているが、本実施形態では、下部前扉１０ｃに設けられた下パネル４には、大型の液晶ディスプレイを有する液晶ユニットが設けられている。この液晶ユニットは、サブ制御基板ユニット３１からの指示に応じて、液晶ユニット３２と同様に映像による演出を行う。
【００５９】
コネクタユニット３４は、特定の機器に接続されたケーブルを中継する中継基板を備えている。また、メダルセレクタ５１は、メダル投入口１１に投入されたメダルが正規のものか否かを選別して、正規のメダルのみをホッパーユニット３６に導く。
【００６０】
また、筺体本体１０ａの外側において、前面側の底面１０ｇ２から側面にかけて金属板１０ｆが設置されている。具体的には、金属板１０ｆは、筺体本体１０ａの前面側の底面１０ｇ２付近であって、下部前扉１０ｃとの境界近傍に設置されている。図２では図示されていないが、金属板１０ｆは、筺体本体１０ａの側面から底面１０ｇ２に続いて設置されており、筺体本体１０ａの底面１０ｇ２において左右側面にわたって設置されている。つまり、金属板１０ｆは、筺体本体１０ａが設置された床面と接触している。詳細は、後述するが、筺体本体１０ａが前側に傾いた際に、筺体本体１０ａの底面１０ｇ２の前側のみが床面と接することとなる。そのため、筺体本体１０ａの重量のすべてが、筺体本体１０ａの底面１０ｇ２の前側にかかり、大きな力がかかることとなるが、金属板１０ｆが設置されているため、この箇所が破損するといった不具合が生じることを抑制できる。
【００６１】
本実施形態に係る遊技機１０において、筺体本体１０ａ側の総重量は、主に、筺体本体１０ａ自体を構成する部材（天板、底板、左側板、右側板及び背面板）の重量に、ホッパーユニット３６、電源ユニット３３、リールユニット４１及びメイン制御基板ユニット３０等の各種装置の重量や、各種基板やハーネス等の部品の重量が加わったものとなる。また、上部前扉１０ｂ側の総重量は、上部前扉１０ｂを構成する枠部材（前面側の装飾部材を含む）の重量に加え、液晶ユニット３２、サブ制御基板ユニット３１、上部ランプ１、上サイドランプ２ａ及び中サイドランプ２ｂ等の装置の重量が加わったものとなる。また、下部前扉１０ｃ側の総重量は、下部前扉１０ｃ自体を構成する枠部材（前面側の装飾部材やメダル受け皿５を含む）の重量に加え、操作部が備えるボタンやレバー等、メダルセレクタ５１、下サイドランプ２ｃ、下パネル４及びスピーカー１７等の装置の重量が加わったものとなる。ここで、遊技機１０において、上記筺体本体１０ａ側の総重量、上記上部前扉１０ａ側の総重量及び上記下部前扉１０ｂ側の総重量の関係性は、上部前扉１０ｂ及び下部前扉１０ｃの開放状態（各開放角度）に応じて、後述の安定姿勢状態、第１傾斜姿勢状態及び第２傾斜姿勢状態のそれぞれとなる重量バランス（重量配分）となっている。ただし、このときの上記筺体本体１０ａ側の総重量としては、遊技機の遊技島設備への設置作業手順の関係上、ホッパーユニット３６の重量を除いた重量とすることが好ましい。
【００６２】
（遊技機１０の姿勢状態）
上述したように、上部前扉１０ｂ及び下部前扉１０ｃのそれぞれはヒンジ３５ａ及びヒンジ３５ｂを介して筺体本体１０ａと連結され、筺体本体１０ａに対して開閉可能である。つまり、ヒンジ３５ａにより上部前扉１０ｂは筺体本体１０ａに対して回転動作することで、筺体本体１０ａに対して開閉可能である。したがって、上部前扉１０ｂの回転軸はヒンジ３５ａに沿うこととなり、回転軸はヒンジ３５ａであるといえる。また、ヒンジ３５ｂにより下部前扉１０ｃは回転動作することで、筺体本体１０ａに対して開閉可能である。したがって、下部前扉１０ｃの回転軸はヒンジ３５ｂに沿うこととなり、回転軸はヒンジ３５ｂであるといえる。
【００６３】
ここで、遊技機１０が平坦な設置面（床面）に載置されており、固定されていない状態において、上部前扉１０ｂ及び下部前扉１０ｃが閉じている場合は、遊技機１０の姿勢状態は、筺体本体１０ａの底面１０ｇ２の略全体が設置面に接しており、安定した状態である安定姿勢状態である。また、遊技機１０において、上部前扉１０ｂが閉じられた状態であれば、下部前扉１０ｃが開かれていても遊技機１０は上記安定姿勢状態を維持する。下部前扉１０ｃが開かれることにより、筺体本体１０ａの前側に重量がかかることとなる。特に、筺体本体１０ａに対して略９０度の角度で下部前扉１０ｃが開かれた場合に、筺体本体１０ａの前側に最も重量がかかることとなるが、上部前扉１０ｂが閉じられていれば、筺体本体１０ａの底面１０ｇ２の略全体が設置面に接し、筺体本体１０ａの底面１０ｇ２が設置面に対して傾斜することがなく、安定した状態である安定姿勢状態を維持する。
【００６４】
また、下部前扉１０ｃが開いた状態で、上部前扉１０ｂを開けると、筺体本体１０ａの前側にさらに重量がかかることとなる。そして、上部前扉１０ｂが第１所定角度よりも大きい角度に開いた場合は、筺体本体１０ａの前側に重量がかかることにより、筺体本体１０ａの底面１０ｇ２が設置面に対して傾斜することとなる。つまり、筺体本体１０ａの底面１０ｇ２の一部は設置面と接することがなくなる。このように、遊技機１０の姿勢状態は、筺体本体１０ａが前側に傾き、筺体本体１０ａの底面１０ｇ２が設置面に対して傾斜している傾斜姿勢状態となる。なお、下部前扉１０ｃは開いた状態で、上部前扉１０ｂが第１所定角度よりも大きく、第２所定角度（特定角度）以下の角度に開いている場合は、下部前扉１０ｃは設置面から浮いている。この姿勢状態は、傾斜姿勢状態の中でも、特に、第１傾斜姿勢状態という。
【００６５】
また、第１傾斜姿勢状態は、底面１０ｇ２が設置面に対して傾斜し、下部前扉１０ｃ及び筺体本体１０ａが設置面から浮いている状態であることから、遊技機１０は前後に揺動可能である。つまり、遊技機１０に触れる等、わずかな力をかけることで遊技機１０は前後に揺れる。なお、第１傾斜姿勢状態では、筺体本体１０ａの底面１０ｇ２の前側が設置面に接していることとなるため、設置面に接している箇所には、遊技機１０の重量がすべてかかることとなる。ここで、筺体本体１０ａの底面１０ｇ２の前側には、金属板１０ｆが設置されていることから、この箇所は強度が高く、この箇所が遊技機１０の重量により破損することを防止することができる。
【００６６】
下部前扉１０ｃは開いた状態で、上部前扉１０ｂが第１所定角度よりも大きい第２所定角度よりも大きく開いた場合は、筺体本体１０ａの前側にさらに重量がかかることにより、設置面に対して筺体本体１０ａがさらに傾斜することとなり、下部前扉１０ｃの下端が設置面と接することとなる。このように、下部前扉１０ｃは開いた状態で、上部前扉１０ｂが第２所定角度よりも大きく開いている場合は、下部前扉１０ｃの下端が設置面と接触した姿勢状態となる。この姿勢状態は、傾斜姿勢状態の中でも、特に、第２傾斜姿勢状態という。第２傾斜姿勢状態は、下部前扉１０ｃが設置面と接していることから、遊技機１０が前後に揺動することはなく、安定している。
【００６７】
以下に、遊技機１０の上記各姿勢状態について、図面を用いて説明する。図３は、本発明の実施形態に係る遊技機において下部前扉のみが開かれた状態を示す斜視図である。また、図４は、図３の状態における遊技機の姿勢状態を示す概略側面図である。また、図５は、本発明の実施形態に係る遊技機において下部前扉のみが略９０度開かれ、上部前扉は、９０度よりも小さい角度開かれた状態を示す斜視図である。また、図６は、図５の状態における遊技機の姿勢状態を示す概略側面図である。また、図７は、図２の状態における遊技機の姿勢状態を示す概略側面図である。なお、図４、６、７に示す概略側面図は、筺体本体１０ａに対する上部前扉１０ｂ及び下部前扉１０ｃの開閉状体と遊技機１０の姿勢状態を示すためのものであることから、筺体本体１０ａ、上部前扉１０ｂ及び下部前扉１０ｃ等の部材のみを図示し、他の部材の図示は省略している。
【００６８】
〔安定姿勢状態〕
上述したように、遊技機１０は、上部前扉１０ｂ及び下部前扉１０ｃを備えていて、これらは、それぞれ独立して筺体本体１０ａに対して開閉が可能である。ただし、上部前扉１０ｂは、下部前扉１０ｃよりも大きく開くことはないように構成されている。ここで、図３に示すように、遊技機１０において上部前扉１０ｂを閉じた状態であれば、下部前扉１０ｃを開けても筺体本体１０ａの底面１０ｇ２のほぼ全面が設置面に接した状態であり、安定姿勢状態を維持する。特に、下部前扉１０ｃを略９０度開けた状態が、筺体本体１０ａの前側に重量がかかる状態であるが、筺体本体１０ａが設置面に対して傾斜することはない。なお、遊技機１０において、上部前扉１０ｂ及び下部前扉１０ｃがいずれも閉じていれば、遊技機１０は同様に安定姿勢状態である。遊技機１０が安定姿勢状態である場合は、遊技機１０は安定しており、容易に前後に揺れることはない。具体的には、図４に示すように、下部前扉１０ｃの開放端側は、床面６０から高さｔ１の位置にある。したがって、メダル受け皿５の底面も床面６０に接触することなく離れている。なお、高さｔ１は、０よりも大きい。また、遊技機１０を設置している設置面は、平坦な床面６０である。
【００６９】
ここで、例えば、新規に、遊技機１０を遊技店に設置する場合、遊技店における遊技機１０の正規の設置場所（遊技者が遊技を行う場所であって、具体的には遊技島設備）において、筺体本体１０ａ内の底面１０ｇ１から、木ねじ等を、筺体本体１０ａの底板に形成された下部設置孔を通して、外部（遊技島設備の取付け部）へ向けて取り付ける。また、同様に、筺体本体１０ａの上部においても、木ねじ等を、筐体本体１０ａの天板に形成された上部設置孔を通して、外部（遊技島設備の取付け部）へ向けて取り付ける。このような設置作業により、設置場所（遊技島設備）と遊技機１０とを木ねじにより固定して、遊技機１０を設置する。この設置作業を行う際に、筺体本体１０ａ内の底面１０ｇ１上にホッパーユニット３６が載置されていると、筺体本体１０ａの底板に形成された上記下部設置孔がホッパーユニット３６で隠れることとなり、木ねじ等の取付け作業が困難となる。そこで、一般的に、遊技機１０を正規の設置場所に設置する前に、予め、遊技機１０を別の設置場所（遊技店の床面）等に載置し、その状態で筺体本体１０ａ内のホッパーユニット３６を取り外しておいてから、遊技機１０を正規の設置場所に設置することが好ましい。
【００７０】
上述したように、遊技機筐体１０ｄ内のホッパーユニット３６を取り外す際は、正規の設置場所以外の別の設置場所である平坦な床面６０に設置する。床面６０に遊技機１０を載置し、ホッパーユニット３６を取り外す際は、遊技機１０において上部前扉１０ｂを閉じて下部前扉１０ｃのみを開けた状態でホッパーユニット３６を取りはずせばよい。これにより、遊技機１０は安定姿勢状態であり、筺体本体１０ａが簡単に揺れることはなく、ホッパーユニット３６を取りはずす作業を容易に行うことができる。
【００７１】
例えば、遊技店内において遊技機１０の設置場所を変更する場合、設置済みの遊技機１０を正規の設置場所である遊技島設備から取り外すため、遊技島設備の取付け部へ固定していた木ねじ等を取り外す必要がある。このとき、遊技機１０の下部を設置場所へ固定している木ねじは、ホッパーユニット３６によって隠れているため、まず、筺体本体１０ａの底面１０ｇ１からホッパーユニット３６を取り外した後に、木ねじを筺体本体１０ａの底板の上記下部設置孔から取り外すこととなる。なお、筺体本体１０ａの上部を固定している木ねじは、通常、筺体本体１０ａの内側に露出していることから、直接、木ねじを取り外せばよい。そして、木ねじを取り外した後は、遊技島設備から取り出した遊技機１０を、遊技店の平坦な床面に一旦載置した後、ホッパーユニット３６と共に荷台等により新しい設置場所である遊技島設備に運んで、設置する。なお、新しい設置場所である遊技島設備に設置する際にも、遊技機１０の下部を木ねじにより固定するため、通常、ホッパーユニット３６は筺体本体１０ａから取り外されている。したがって、遊技店内の平坦な床面に遊技機が載置されるときには、概ね、筺体本体１０ａ内からホッパーユニット３６が取り外された状態である。
【００７２】
〔第１傾斜姿勢状態〕
上述したように、第１傾斜姿勢状態は、下部前扉１０ｃ及び筺体本体１０ａが設置面（平坦な床面６０）から浮いている状態である。具体的には、図５に示すように、下部前扉１０ｃを開けた状態で、かつ、上部前扉１０ｂの開放角度Ａを第１所定角度よりも大きく、第２所定角度以下の角度とする。この状態において遊技機１０は、図６に示すように、下部前扉１０ｃ及び筺体本体１０ａが共に床面６０より浮いた状態となる。下部前扉１０ｃの開放端側の床面６０からの高さｔ１、及び、筺体本体１０ａの後部側の床面６０からの高さｔ２は、いずれも０よりも大きい値となる。第１傾斜姿勢状態において、床面６０と接しているのは、金属板１０ｆのみであり、この第１傾斜姿勢状態において遊技機１０は、容易に前後に揺動する状態であり、不安定な状態である。なお、第１傾斜姿勢状態では、筺体本体１０ａの底面１０ｇ２の前側が床面６０に接していることとなるため、筺体本体１０ａにおいて床面６０に接している箇所には、遊技機１０の重量がすべてかかることとなる。ここで、筺体本体１０ａの底面１０ｇ２の前側には、金属板１０ｆが設置されていることから、強度が比較的高い。したがって、筺体本体１０ａが樹脂製や木製であっても金属板１０ｆが設けられていることにより、この箇所が遊技機１０の重量により破損することを防止することができる。
【００７３】
ここで、上記第１所定角度は、０〜１５度の任意の角度度すればよい。また、第２所定角度は例えば２０〜４５度の任意の角度とすればよい。例えば、第１所定角度を０度とし、第２所定角度を２０度とすればよい。この場合は、遊技機１０において、上部前扉１０ｂを少しでも開ければ遊技機１０は前側に傾き第１傾斜姿勢状態となる。さらに、上部前扉１０ｂを開いて、上部前扉１０ｂの開放角度Ａが２０度以下であれば第１傾斜姿勢状態は維持される。なお、上部前扉１０ｂを大きく開くほど、高さｔ１が小さくなり、高さｔ２は大きくなる。上部前扉１０ｂをさらに開いて開放角度Ａが２０度を越えると、遊技機１０は、後述する第２傾斜姿勢状態となる。なお、下部前扉１０ｃの開く角度は任意の角度とすればよい。例えば、下部前扉１０ｃを略９０度開いている場合であっても、０度に近い場合であっても、上部前扉１０ｂを少しでも開ければ遊技機１０は第１傾斜姿勢状態となる。なお、上述したように、上部前扉１０ｂは下部前扉１０ｃよりも大きく開くことはない。
【００７４】
また、例えば、例えば、第１所定角度を１５度とし、第２所定角度を４５度としてもよい。この場合は、遊技機１０において、上部前扉１０ｂを開けた場合の開放角度Ａが１５度以下であれば遊技機１０は安定姿勢状態であるが、開放角度Ａが１５度を越えると遊技機１０は前側に傾き第１傾斜姿勢状態となる。上部前扉１０ｂをさらに開いても開放角度Ａが４５度以下であれば第１傾斜姿勢状態が維持される。さらに、上部前扉１０ｂを開いて開放角度Ａが４５度を越えると、遊技機１０は後述する第２傾斜姿勢状態となる。
【００７５】
上述したように、第１傾斜姿勢状態は、下部前扉１０ｃ及び筺体本体１０ａの大部分が床面６０から離れている状態であり、遊技機１０が前後方向に揺動可能な状態である。つまり、筐体本体１０ａの底面１０ｇ２の前側（金属板１０ｆを設置している部分）を「支点」として、前後方向に重量の釣り合いが取れており、この釣り合いが崩れるほどの大きな力が遊技機１０に加わらない限り、揺動が収束して第１傾斜姿勢状態が維持される状態である。したがって、平坦な床面６０に載置された遊技機１０（上部前扉１０ｂおよび下部前扉１０ｃが開いている状態）が第１傾斜姿勢状態であるときには、遊技機１０が前方側へ倒れ難く載置された状態として、前後方向へのバランスが取れた状態となっている。そのため、遊技機１０に触れる等の少しの力が遊技機１０にかかっただけで遊技機１０が前後に揺れることとなるものの、遊技機１０が前方へ倒れることを防ぐために作業者が遊技機を手で支える必要がない。つまり、第１傾斜姿勢状態において、遊技機１０は前後に揺動はするが、前方や後方に倒れることは生じにくい。したがって、第１傾斜姿勢状態は、遊技機１０において、目視による点検作業等は行い易い状態となっている。
【００７６】
〔第２傾斜姿勢状態〕
上述したように、第１傾斜姿勢状態からさらに、上部前扉１０ｂの開放角度Ａを、第２所定角度よりも大きくした場合は、筺体本体１０ａに対してより前側に重量がかかることとなるため、遊技機１０は第２傾斜姿勢状態となる。例えば、図２に示す状態は、上部前扉１０ｂ及び下部前扉１０ｃが共に９０度開いており、第２所定角度が２０〜４５度である場合は、上部前扉１０ｂの開放角度Ａが第２所定角度よりも大きく開いた状態である。この場合に遊技機１０は、図７に示すように、下部前扉１０ｃの一部（メダル受け皿５）が床面６０に接することになる。なお、底面１０ｇ２が設置面に対して傾斜して、底面１０ｇ２の一部は床面６０から浮いており、金属板１０ｆは床面６０に接触しており、筺体本体１０ａの後部側の床面６０からの高さｔ２は、０よりも大きい値である。
【００７７】
遊技機１０が第２傾斜姿勢状態である場合は、下部前扉１０ｃの一部（メダル受け皿５）が床面６０に接することから、遊技機１０は安定した状態となる。したがって、第２傾斜姿勢状態では、遊技機１０において清掃作業や点検作業等は行うことが容易である。例えば、遊技店内において遊技機１０の設置場所を変更する場合に、遊技機１０の正規の設置場所（遊技者が遊技を行う際の設置場所）ではなく、遊技店内の平坦な床面６０に一時的に遊技機が載置されて、遊技機１０の遊技機筐体１０ｄ内部の点検作業や清掃作業等が行われる。なお、点検作業としては、例えば、不正器具の有無の確認作業、コネクタの接続状態の確認作業、ハーネスの断線がないかの確認作業及び基板ケースの取付け状態の確認作業等である。このような作業を行う場合は、上部前扉１０ｂ及び下部前扉１０ｃを開け、さらに、上部前扉１０ｂを第２所定角度よりも大きく開いて行うことが好ましい。例えば、第２所定角度が４５度である場合は、上部前扉１０ｂ及び下部前扉１０ｃを４５度よりも大きく開いて点検作業や清掃作業等を行えばよい。なお、作業のしやすさを考えると、点検作業や清掃作業等を行う際は、上部前扉１０ｂ及び下部前扉１０ｃをより大きく開いて行うことが好ましいことから、上部前扉１０ｂ及び下部前扉１０ｃを略９０度開いて行えばよい。このように、上部前扉１０ｂ及び下部前扉１０ｃを第２所定角度よりも大きく開くことにより、遊技機１０は第２傾斜姿勢状態となり、安定した状態となる。そのため、上部前扉１０ｂ及び下部前扉１０ｃが大きく開いていることから広いスペースを用いて点検作業や清掃作業等を行うことができ、作業効率が向上する。また、遊技機１０が揺動することがないことから、点検作業や清掃作業等を行いやすい。
【００７８】
また、第２傾斜姿勢状態において、床面６０に接する箇所は、メダル受け皿５であることが好ましい。ここで、図８は、遊技機が第２傾斜姿勢状態である場合のメダル受け皿周辺の構成を示す拡大概略斜視図である。具体的には、図８は、下部前扉１０ｃを略９０度開けた状態において、遊技機１０が第２傾斜姿勢状態となっている状態におけるメダル受け皿５周辺の構成を示す拡大概略斜視図であり、遊技機１０の右側から側面視した状態を示す図である。
【００７９】
図８に示すように、第２傾斜姿勢状態では、底面１０ｇ２が床面６０に対して傾斜し、筺体本体１０ａは床面６０から浮いた状態であり、底面１０ｇ２の一部は床面６０から離れている。そして、メダル受け皿５が床面６０と接している。例えば、下部前扉１０ｃを略９０度開けた状態で、上部前扉１０ｂを第２所定角度である４５度開いた状態では、遊技機１０は第１傾斜姿勢状態であるが、さらに上部前扉１０ｂを開くことにより開放角度Ａが４５度を越えると、メダル受け皿５が床面６０に接触することが好ましい。特に、メダル受け皿５における下部前扉１０ｃの回転軸側（ヒンジ３５ｂ側）の部分が床面６０に接することが好ましい。床面６０に接することで傷が生じる可能性があるが、メダル受け皿５に傷がついても目立ちにくく、遊技者が気づきにくい。また、メダル受け皿５における下部前扉１０ｃの回転軸側（ヒンジ３５ｂ側）の部分は、特に、が特に、目立ちにくく、遊技者が傷に気づきにくい。
【００８０】
第２傾斜姿勢状態である場合は、遊技機１０は前側に傾斜している。しかし、第２傾斜姿勢状態となるためには、上部前扉１０ｂの開く開放角度Ａが第２所定角度である４５度を越える必要があり、上部前扉１０ｂは下部前扉１０ｃよりも大きく開くことはないことから、下部前扉１０ｃも４５度を越えて開いていることとなる。つまり、遊技機１０が第２傾斜姿勢状態となるためには、下部前扉１０ｃの開く角度は４５度よりも大きい。したがって、第２傾斜姿勢状態では、下部前扉１０ｃのメダル受け皿５が床面に接して、前側に倒れてくる筺体本体１０ａを下部前扉１０ｃにより支えることとなる。このため、遊技機１０は安定した状態となる。なお、遊技機１０を第２傾斜姿勢状態とする場合は、下部前扉１０ｃを略９０度開いていることが好ましい。これにより、第２傾斜姿勢状態において、下部前扉１０ｃが床面に接して、遊技機１０全体を支えている状態において、ヒンジ３５ｂには遊技機１０の正面側から力が加わることとなるため縁部３５ｂが損傷しにくい。例えば、第２傾斜姿勢状態において、下部前扉１０ｃが４５度程度しか開いていない状態で、下部前扉１０ｃの下端部（正面視右側の下端部）が床面に接して、遊技機１０全体を支えている状態では、ヒンジ３５ｂには遊技機１０の斜め前側から力が加わることとなり、正面から力が加わる場合に比べてヒンジ３５ｂに負担がかかりやすい。
【００８１】
上述したように、安定姿勢状態及び第２傾斜姿勢状態では、遊技機１０が安定しており、遊技機１０に対してなんらかの作業を行いやすいことから、遊技機１０に対して作業を行う際は、安定姿勢状態及び第２傾斜姿勢状態として行えばよい。例えば、上部前扉１０ｂは開けることなく下部前扉１０ｃのみ開いた状態で行うことができる作業の場合は、遊技機１０を安定姿勢状態として行えばよい。また、下部前扉１０ｃだけではなく、上部前扉１０ｂも開けて行う方が好ましい作業については、遊技機１０を第２傾斜姿勢状態として行えばよい。
【００８２】
ここで、安定姿勢状態及び第２傾斜姿勢状態において、遊技機筐体１０ｄ内の清掃作業及び点検作業等を行った際に、例えば作業で用いた電動ドライバ等の工具や機器を、誤って遊技機筐体１０ｄ内に置き忘れることがある。また、作業者の私物である携帯電話等を遊技機筐体１０ｄ内に置き忘れることもある。このような場合であっても、安定姿勢状態及び第２傾斜姿勢状態で作業をした後に、下部前扉１０ｃ及び上部前扉１０ｂを開け、上部前扉１０ｂの開放角度Ａを第１所定角度よりも大きく第２所定角度以下として、遊技機１０を第１傾斜姿勢状態とすることにより、以下に説明するように、このような置き忘れに容易に気づくことができる。
【００８３】
遊技機１０が第１傾斜姿勢状態である場合は、遊技機１０に触れる程度の力で遊技機１０は前後に揺動する状態である。この場合に、筺体本体１０ａ内又は上部前扉１０ｂや下部前扉１０ｃに本来は設置されていることがない部品が置かれていると、筺体本体１０ａ、上部前扉１０ｂ及び下部前扉１０ｃの重量のバランスが崩れて、安定姿勢状態又は第２傾斜姿勢状態となってしまうことがある。つまり、筺体本体１０ａ内又は上部前扉１０ｂや下部前扉１０ｃに、作業者が置き忘れをした場合は、その分の重量が増加することとなる。例えば、筺体本体１０ａ内に置き忘れをすると遊技機１０の後側の重量が増加し、
上部前扉１０ｂ又は下部前扉１０ｃに置き忘れをすると遊技機１０の前側の重量が増加するため、本来は第１傾斜姿勢状態となる場合であっても、安定姿勢状態又は第２傾斜姿勢状態となってしまうことがある。このように、遊技機１０が第１傾斜姿勢状態となるはずが、安定姿勢状態又は第２傾斜姿勢状態となってしまう場合は、筺体本体１０ａ内又は上部前扉１０ｂや下部前扉１０ｃに工具等を置き忘れている可能性が高いといえる。したがって、遊技機１０を第１傾斜姿勢状態とすることにより、置き忘れに容易に気づくことができる。
【００８４】
したがって、清掃作業や点検作業等を行った後に、遊技機１０を第１傾斜姿勢状態となるように上部前扉１０ｂ及び下部前扉１０ｃを開いて、安定姿勢状態又は第２傾斜姿勢状態となった場合は、作業者は遊技機筐体１０ｄ内を慎重に確認することが好ましく、これにより置き忘れた物を見つけることができる可能性がある。このように、遊技機１０によれば、遊技機筐体１０ｄ内の置き忘れを防止することができる。
【００８５】
また、遊技機筐体１０ｄにおいて、不正行為を行うための不正部品等が不正行為者により、目立たない位置に設置されていた場合であっても、筺体本体１０ａ、上部前扉１０ｂ及び下部前扉１０ｃにおける重量バランスが本来の状態と異なることとなるため、本来は第１傾斜姿勢状態となる状態にもかかわらず、安定姿勢状態又は第２傾斜姿勢状態となる場合がある。このような場合は、作業者は遊技機筐体１０ｄ内を慎重に確認することにより、不正部品を発見できる可能性がある。このように、遊技機１０によれば、不正行為についても、抑制することができる。
【００８６】
なお、遊技機１０において、上述した、安定姿勢状態、第１傾斜姿勢状態及び第２傾斜姿勢状態を実現するためには、筺体本体１０ａ、上部前扉１０ｂ及び下部前扉１０ｃのそれぞれの重量を調整すればよい。また、筺体本体１０ａ、上部前扉１０ｂ及び下部前扉１０ｃのそれぞれに取り付ける各部材の重さや、取付け位置等を調整するようにしてもよい。また、重量調整用の重量物（例えば金属製の重り等）を設置して重量を調整してもよい。また、筺体本体１０ａ、上部前扉１０ｂ及び下部前扉１０ｃにおいて、それぞれの一部を金属ではなく軽量の樹脂で構成することで軽量化を図り、重量を調整してもよい。また、前方に傾斜しやすくするために、特に下部前扉１０ｃに重量の大きい部材を設置するようにしてもよい。
【００８７】
なお、上述した、遊技機１０における安定姿勢状態、第１傾斜姿勢状態及び第２傾斜姿勢状態は、遊技機１０を木ねじで固定していない状態において実現できる。上述したように木ねじを取り外す際は、ホッパーユニット３６は筺体本体１０ａから取り外していることから、安定姿勢状態、第１傾斜姿勢状態及び第２傾斜姿勢状態の実現は、筺体本体１０ａからホッパーユニット３６が取り除かれている状態を想定している。つまり、筺体本体１０ａ内にホッパーユニット３６が設置されていない状態で、安定姿勢状態、第１傾斜姿勢状態及び第２傾斜姿勢状態が実現されるように、筺体本体１０ａ、上部前扉１０ｂ及び下部前扉１０ｃの重量を調整することが好ましい。ただし、筺体本体１０ａ内にホッパーユニット３６が設置されている場合及び設置されていない場合のいずれにおいても、同様の条件で安定姿勢状態、第１傾斜姿勢状態及び第２傾斜姿勢状態を実現できるように、筺体本体１０ａ、上部前扉１０ｂ及び下部前扉１０ｃの重量を調整することとしてもよい。
【００８８】
（他の実施形態）
上述の本実施形態では、上部と下部に完全に分離している上部前扉１０ｂ及び下部前扉１０ｃを有する遊技機１０について説明したが、この構成以外に、例えば、２つの前扉が上下に分離しているのではない構造の遊技機もある。このような遊技機についても、上述の本実施形態の遊技機１０と同様に、安定姿勢状態、第１傾斜姿勢状態及び第２傾斜姿勢状態の実現が可能であり、同様の効果を奏する。以下に、本発明の他の実施形態に係る遊技機１１０について、図面を用いて説明する。図９は、本発明の他の実施形態に係る遊技機において第１前扉が開かれた状態を示す斜視図である。また、図１０は、本発明の他の実施形態に係る遊技機において第１前扉及び第２前扉が開かれた状態を示す斜視図である。
【００８９】
図９及び図１０に示すように、本発明の他の実施形態に係る遊技機１１０は、筺体本体１１０ａ、第１前扉１１０ｂ及び第２前扉１１０ｃを有している。また、筺体本体１１０ａの前面側の側面から底面にかけて金属板１１０ｆが設置されている。第１前扉１１０ｂは、筺体本体１１０ａの前側に位置し、筺体本体１１０ａに対して前側に開閉可能である。この第１前扉１１０ｂにはリール窓１１０ｅが形成されており、下方にはメダル受け皿１０５も設けられている。第２前扉１１０ｃは、筺体本体１１０ａの前側であって、第１前扉１１０ｂの後側に位置し、筺体本体１１０ａに対して前側に開閉可能である。また、第２前扉１１０ｃは３つのリールを有するリールユニット１４１及びメイン制御基板ユニット１３０等を備えている。
【００９０】
図示はされていないが、第１前扉１１０ｂ及び第２前扉１１０ｃを閉じた場合は、リールユニット１４１及びメイン制御基板ユニット１３０が筺体本体１１０ａ内に収納され、リールユニット１４１の各リールがリール窓１１０ｅから外部に露呈する。これにより、遊技者は、リールを見ながら遊技を行うことができる。第２前扉１１０ｃはリールユニット１４１及びメイン制御基板ユニット１３０等を有し、第１前扉１１０ｂの上側にリール窓１１０ｅが形成されていることから、第２前扉１１０ｃの重心は、第１前扉１１０ｂの重心に比べて上側にある。また、上述したように、第２前扉１１０ｃは、筺体本体１１０ａの前側であって、第１前扉１１０ｂの後側に位置することから、第２前扉１１０ｃが第１前扉１１０ｂよりも大きく開くことはない。
【００９１】
このような遊技機１１０は、平坦な設置面（床面）に載置されていて固定されていない状態において、第１前扉１１０ｂ及び第２前扉１１０ｃが閉じている場合は、遊技機１１０の姿勢状態は、筺体本体１１０ａの底面の略全体が設置面に接しており、安定した状態である安定姿勢状態となる。また、遊技機１１０において、第２前扉１１０ｃが閉じられた状態であれば、第１前扉１１０ｂが開かれていても遊技機１１０は上記安定姿勢状態を維持する。第１前扉１１０ｂが開かれることにより、筺体本体１１０ａの前側に重量がかかることとなる。特に、筺体本体１１０ａに対して略９０度の角度で第１前扉１１０ｂが開かれた場合に、筺体本体１１０ａの前側に最も重量がかかることとなるが、第２前扉１１０ｃが閉じられていれば、筺体本体１１０ａの底面の略全体が設置面に接し、筺体本体１１０ａの底面が設置面に対して傾斜することがなく、安定した状態である安定姿勢状態を維持する。
【００９２】
また、第２前扉１１０ｃを開けると、筺体本体１１０ａの前側にさらに重量がかかることとなる。なお、第２前扉１１０ｃを開けると、必ず第１前扉１１０ｂも開くこととなる。そして、第２前扉１１０ｃが第１所定角度よりも大きい角度に開いた場合は、筺体本体１１０ａの前側に重量がかかることにより、筺体本体１１０ａの底面が設置面に対して傾斜することとなる。つまり、筺体本体１１０ａの底面の一部は設置面と接することがなくなる。このように、遊技機１１０の姿勢状態は、筺体本体１１０ａが前側に傾き、筺体本体１１０ａの底面が設置面に対して傾斜して、筺体本体１１０ａの底面の一部が設置面から浮いている傾斜姿勢状態となる。なお、第１前扉１１０ｂは開いた状態で、第２前扉１１０ｃが第１所定角度よりも大きく、第２所定角度以下の角度に開いている場合は、第１前扉１１０ｂは設置面から浮いている。この姿勢状態は、傾斜姿勢状態の中でも、特に、第１傾斜姿勢状態という。
【００９３】
また、第１傾斜姿勢状態は、第１前扉１１０ｂ及び筺体本体１１０ａが設置面から浮いている状態であることから、遊技機１１０は前後に揺動可能である。なお、第１傾斜姿勢状態では、筺体本体１１０ａの底面の前側が設置面に接していることとなるため、設置面に接している箇所には、遊技機１１０の重量がすべてかかることとなる。ここで、筺体本体１１０ａの底面の前側には、金属板１１０ｆが設置されていることから、強度が高く、この箇所が遊技機１１０の重量により破損することを防止することができる。
【００９４】
第１傾斜姿勢状態から、さらに、第２前扉１１０ｃが第２所定角度よりも大きく開いた場合は、筺体本体１１０ａの前側にさらに重量がかかることにより、設置面に対して筺体本体１１０ａがさらに傾斜することとなり、第１前扉１１０ｂの一部（メダル受け皿１０５）が設置面と接することとなる。このように、第１前扉１１０ｂは開いた状態で、第２前扉１１０ｃが第２所定角度よりも大きく開いている場合は、第１前扉１１０ｂの一部（メダル受け皿１０５）が設置面と接触した姿勢状態となる。この姿勢状態は、傾斜姿勢状態の中でも、特に、第２傾斜姿勢状態という。第２傾斜姿勢状態は、第１前扉１１０ｂが設置面と接していることから、遊技機１１０が前後に揺動することはなく、安定している。
【００９５】
以上、遊技機１１０について、各姿勢状態を主に説明したが、遊技機１１０においても、遊技機１０と同様に、安定姿勢状態及び第２傾斜姿勢状態において、清掃作業及び点検作業等を行えばよい。また、遊技機１１０を第１傾斜姿勢状態となる状態とすることにより、筺体本体１１０ａ、第１前扉１１０ｂ及び第２前扉１１０ｃにおける置き忘れがないか確認できる。また、筺体本体１１０ａ、第１前扉１１０ｂ及び第２前扉１１０ｃに不正部品が設置されていないかを確認することができる。
【００９６】
なお、遊技機１１０において、第２前扉１１０ｃは筺体本体１１０ａに固定されたヒンジ部材に対応するヒンジ具を備え、筺体本体１１０ａに対して開閉可能に設けられているが、このような構成に限定されるわけではない。例えば、第２前扉１１０ｃは、第１前扉１１０ｂの背面側に固定されたヒンジ部材に対応するヒンジ具を備え、第１前扉１１０ｂに対して開閉可能に設けられていることとしてもよい。この構成であっても、図９に示すように、第１前扉１１０ｂのみを開き、第２前扉１１０ｃは閉じたまま、つまり、第２前扉１１０ｃが筺体本体１１０ａの内部に収納されたまま、とすることができる。
【００９７】
また、図９及び図１０に示した遊技機１１０において、例えば、第１前扉１１０ｂが上下に分離されており、筺体本体１１０ａに対して互いに独立して開閉可能であることとしてもよい。なお、この場合は、第２前扉１１０ｃが閉じて、第１前扉１１０ｂにおける上側の扉及び下側の扉の両方が開いている状態では、遊技機１１０は安定姿勢状態となる。そして、第１前扉１１０ｂにおける上側の扉及び下側の扉の両方及び第２前扉１１０ｃが開いている状態において、遊技機１１０は傾斜姿勢状態となる。
【００９８】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００９９】
５、１０５  メダル受け皿                １０、１１０  遊技機
１０ａ、１１０ａ  筺体本体              １０ｂ      上部前扉
１０ｃ      下部前扉                    １０ｄ      遊技機筐体
１０ｆ、１１０ｆ  金属板                １０ｇ２    底面
３５ａ、３５ｂ  ヒンジ                  ３６        ホッパーユニット
６０        床面                        １１０ａ    筺体本体
１１０ｂ    第１前扉                    １１０ｃ    第２前扉
【要約】      （修正有）【課題】作業者が筐体内に工具等を置き忘れている場合に、置き忘れに容易に気づくことができ、置き忘れを抑制できる遊技機を提供する。【解決手段】遊技機１０は、筺体本体１０ａと、筺体本体１０ａの前側に配置されて開閉可能な上部前扉１０ｂ及び下部前扉１０ｃと、を有する遊技機筐体を備え、上部前扉１０ｂ及び下部前扉１０ｃは、互いに独立して開閉可能であり、上部前扉１０ｂは下部前扉１０ｃの上側に配置されており、筺体本体１０ａに対して、上部前扉１０ｂは下部前扉１０ｃよりも大きく開くことがなく、平坦な床面に載置された状態において、筺体本体１０ａに対して上部前扉１０ｂが閉じている場合は、筺体本体１０ａの底面１０ｇ２が床面に接した安定姿勢状態であり、筺体本体１０ａに対して上部前扉１０ｂ及び下部前扉１０ｃが開いている場合は、筺体本体１０ａの底面１０ｇ２の一部が床面から離れている傾斜姿勢状態である。【選択図】図３【図１】
0006807123.tif 000002
【図２】
0006807123.tif 000003
【図３】
0006807123.tif 000004
【図４】
0006807123.tif 000005
【図５】
0006807123.tif 000006
【図６】
0006807123.tif 000007
【図７】
0006807123.tif 000008
【図８】
0006807123.tif 000009
【図９】
0006807123.tif 000010
【図１０】
0006807123.tif 000011